(57)【特許請求の範囲】
【請求項１】
心停止状態の患者(３)の胸郭に圧迫と圧迫解除とが交互に行われる蘇生方法に使用する装置であって、
−  内部に主通路(７・27)を形成し、その遠位端が上記の患者(３)の気管に連結され、近位端(５Ｐ・25Ｐ)が上記の患者(３)の外側に位置してその患者の呼吸系を上記の主通路(７・27)を介して外部空気に連結させる、筒状要素(５・25)と、
−  上記の主通路(７・27)内で開口し、主通路(７・27)を取り囲む状態に形成され呼吸用気体を連続的に供給する複数の補助通路(９・29)と、
−  上記の補助通路(９・29)を通って連続的に噴射された呼吸用気体(Ｊ)の気流を上記の主通路(７・27)の内側で相互に合流させる偏向手段(８・28)とからなり、
各圧迫解除の開始時、上記筒状要素(5、25)への外部空気の取り入れを自然に遅くさせる手段を備えることを特徴とする人工呼吸装置。
【請求項２】
上記の筒状要素(５・25)への外部空気の取り入れを遅くする手段(Ｓ１・Ｓ２)は、通常閉鎖されている第１弁(42・62)および第２弁(43・67)とを備える中空体(40・60)からなり、上記の第１弁(42・62)は圧迫中自然に且つ即座に開弁し、上記第２弁(43・67)は圧迫解除中自然に且つ徐々に開弁でき、上記の中空体(40・60)は上記の筒状要素(5・25)の近位端に配置されることを特徴とする請求項１に記載した人工呼吸装置。
【請求項３】
上記の第１弁(42・62)および第２弁(42、43)は外側と上記の中空体(40)の内部空洞(41)との間で並列に配置されていることを特徴とする請求項２に記載した人工呼吸装置。
【請求項４】
上記の第１弁(42・62)および第２弁(62・67)は外側と上記の中空体(60)の内部空洞(61)との間で直列に配置されていて、上記中空弁の一方が他方により支持されていることを特徴とする請求項２に記載した人工呼吸装置。
【請求項５】
第１弁(62)が上記の中空体(60)に設けられている弁座(64)に自然に対向し、その周囲に配分されている幾つかの装着点(65)を介して上記の弁座に連結されている弾性膜(63)により形成され、圧迫中追い出された空気は、上記の装着点(65)と上記の弁座(64)との間で上記の膜(63)の弾性変形により自然に且つ即座に形成される通路(66)を介して中空体(60)の空洞から外側に自由に通過し、上記の第２弁には、上記の膜(63)に形成され,
隣接縁を備えた少なくとも１つのスリットにより形成されており、圧迫解除中吸い込まれた空気が、外側から、上記の膜にその弾性変形により自然に形成された通路(66)を介して中空体(60)の空洞(61)に、その速度を落としながら徐々に通過し、その隣接縁が徐々に離れることを特徴とする請求項４に記載した人工呼吸装置。
【請求項６】
筒状要素(５・25)への外部空気の取り入れを遅くさせる手段(Ｓ１・Ｓ２)は筒状要素(５・25)との一体部分として形成されていることを特徴とする請求項１から５のいずれか１項に記載した人工呼吸装置。
【請求項７】
筒状要素(５・25)への外部空気の取り入れを遅くさせる手段(Ｓ１・Ｓ２)は筒状要素(５・25)と離脱自在に装着されていることを特徴とする請求項１から５のいずれか１項に記載した人工呼吸装置。
【発明の詳細な説明】
【技術分野】
【０００１】
本発明は心停止状態の患者を蘇生させる人工呼吸装置に関する。
【背景技術】
【０００２】
心停止状態の患者を蘇生しょうとする場合、排気・吸気動作を回復させることを意図してこの患者の胸郭に圧迫と圧迫解除の交互のサイクルを与えることは既知である。
【先行技術文献】
【特許文献】
【０００３】
【特許文献１】ヨーロッパ特許第０３９０６８４号
【特許文献２】ヨーロッパ特許第０９１１０５１号
【０００４】
更に、例えば、ＥＰ特許第０３９０６８４号とＥＰ特許第０９１１０５１号とは、自発呼吸が不十分である患者の呼吸補助装置を既に開示している。
この種の呼吸補助装置の既知のものは
−  主通路を形成し、その遠位端を介して患者の気管に連結されるようになされている筒状要素であって、この近位端は患者の外部に位置し、この患者の呼吸系が上記の主通路を介して外側に連結されているものと、
−  上記の主通路に開放する周方向補助通路であって、連続的に呼吸用気体を供給されるものと、
−  上記の補助通路を通って噴射される呼吸用気体の流れを偏向させ、上記の主通路の内側で相互に合流させる手段と
からなる。
【０００５】
よって、上記の患者には上記の呼吸用気体流が連続的に通される。
【発明の概要】
【発明が解決しようとする課題】
【０００６】
本出願人は、自発呼吸している患者の呼吸補助装置が、心停止状態にあり、その胸郭を交互に圧迫および圧迫解除して蘇生させている患者の(単に呼吸補助装置としてでなく)
人工呼吸用装置として十分に使用でき、上記の呼吸用気体流は吸気の回復と血液の循環を向上させることに気付いた。
【０００７】
然し、心停止状態の患者の肺に連続的に導入される呼吸用気体が、圧迫の最後で、その後の圧迫解除の開始時に肺に残存する正の圧力を生じ、この残存する正の圧力は圧迫解除の一定期間連続して、消失し、圧迫解除により生じる負の圧力と交代する。この残存する正の圧力は、一方では、上記の筒状要素を通って外部空気を吸入するのに障害となり、他方では、吸入される外部空気により維持される。これにより、各圧迫解除のかなりの間上記の患者の肺は外部空気を効率的に吸入せず、上記の患者の血液の末端部(頭、腕、脚)への血液循環(特に静脈への還流)が満足いくものではないという影響があることに本出願人は注目した。
【０００８】
本発明の目的は、この問題点を克服することにある。
【課題を解決するための手段】
【０００９】
この目的のため、本発明による、心停止状態の患者を蘇生させる人工呼吸装置は、上記患者の胸郭に圧迫と圧迫解除とを交互に行うものであって、
―  主通路を形成する筒状要素であって、その筒状要素の遠位端を介して患者の気管に連結され、かつ該筒状要素の近位端は上記の患者の外側に位置するようにしてその患者の呼吸系を上記の主通路を介して外部空気に連結させるものと、
−  上記の主通路内で開口し、主通路を取り囲む状態に形成され呼吸用気体を連続的に供給する複数の補助通路と、
−  上記の周方向補助通路を通って連続的に噴射された呼吸用気体の気流を上記の主通路の内側で相互に合流させる偏向手段とからなり、
各圧迫解除の開始時、上記筒状要素への外部空気の取り入れを自然に遅くさせる手段を備えることを特徴とする。
【発明の効果】
【００１０】
よって、本発明により、上記の残存する正の圧力は、吸引される外部空気を徐々に取り入れている間、圧迫解除の作用下で急速に消失するので、上記の残存する正の圧力は心停止状態の患者の外部空気の吸入と血液循環との妨げとはならない。
【００１１】
本発明に従って用いられる装置は、よって、上記の筒状要素への空気の取り入れを遅くする手段を備える。
【００１２】
上記の筒状要素への外部空気の取り入れを遅くする手段は、通常閉鎖されている第１弁と第２弁とを備える中空体からなり、上記の第１弁は圧迫中自然に且つ即座に開弁し、上記第２弁は圧迫解除中自然に且つ徐々に開弁でき、上記の中空体は上記の筒状要素の近位端に配置されるのが望ましい。
【００１３】
上記の第１弁および第２弁は外側と上記の中空体の内部凹所との間、即ち外側と上記の筒状要素の内部(即ち、蘇生させている患者の肺)との間で並列あるいは直列に配置できる。
【００１４】
上記の第１弁および第２弁が直列に配置されている場合、その一方は他方により支持できる。そこで、一方では、弾性膜で構成されている第１弁が上記の中空体に設けられている弁座に自然に対向し、その周囲に配分されている幾つかの装着点を介して弁座に連結されており、圧迫中追い出された空気は、上記の装着点と上記の弁座との間で上記の膜の弾性変形により自然に且つ即座に形成される通路を介して中空体の内側から外側に自由に通過する。他方、上記の第２弁には、上記の膜に形成され、隣接縁を備えた少なくとも１つのスリットにより形成されていて、圧迫解除中吸い込まれた空気が、外側から、上記の膜にその弾性変形により自然に形成された通路を介して中空体の内側に徐々に通過し、上記の隣接縁を徐々に離す。
【００１５】
筒状要素への外部空気の取り入れを遅くさせる手段は筒状要素との一体部分として形成しても、上記の筒状要素に離脱自在に装着してもよい。
【図面の簡単な説明】
【００１６】
【図１】本発明に従って改良しようとする人工呼吸用装置の第１実施例を備えた呼吸用マスクの軸方向の部分断面略図である。
【図２】図１のII-II線に沿う人工呼吸装置の横断面図。
【図３】図１のIII-III線に沿う人工呼吸装置の横断面図である。
【図４】本発明に従って改良しようとている人工呼吸装置の第２実施例の長手方向略断面図である。
【図５】第１図および第４図の人工呼吸装置を改良するのを意図した本発明によるシステムの第１例の第１状態を示す略横断面図である。
【図６】第１図および第４図の人工呼吸装置を改良するのを意図した本発明によるシステムの第１例の第２状態を示す略横断面図。
【図７】第１図および第４図の人工呼吸装置を改良するのを意図した本発明によるシステムの第１例の第３状態を示す略横断面図。
【図８】第１図および第４図の人工呼吸装置を改良するのを意図した本発明によるシステムの第２例の第１状態を示す略軸方向断面図である。
【図９】図８におけるIX-IX線に沿う略横断面図である。
【図１０】第１図および第４図の人工呼吸装置を改良するのを意図した本発明によるシステムの第２例の第２状態を示す略軸方向断面図である。
【図１１】図１０におけるXI-XI線に沿う略横断面図である。
【図１２】第１図および第４図の人工呼吸装置を改良するのを意図した本発明によるシステムの第２例の第２状態を示す略軸方向断面図てある。
【図１３】図１２におけるXIII-XIII線に沿う略横断面図である。
【発明を実施するための形態】
【００１７】
添付図面の図により本発明がどのように実施されるかが明確になる。これらの図中、同一符号は同一要素を示す。
図１に示されている呼吸マスク(１)は、患者(３)の顔にその開口周縁を構成している口部(４)を当てがわれるほぼ載頭円錐形の剛性殻体(２)からなる。上記のマスク(１)の他端には上記の殻体(２)と一体あるいは上記の殻体(２)の筒状突出部(６)に嵌合される剛性筒状要素(５)からなる人工呼吸装置(Ｄ１)が設けられている。筒状要素(５)はマスク(１)用の気体入口および気体出口連結片の役割を果たし、その近位端(５Ｐ)は周囲の空気に晒され、その遠位端(５Ｄ)はマスク(１)に位置する。
【００１８】
上記の筒状要素(５)は内部主通路(７)を形成し、中間部には、上記の通路(７)の軸(Ｌ−Ｌ)に向けられた偏向手段(８)を備える。この偏向手段(８)の目的は周方向の補助通路(９)を通って噴射された呼吸気流(Ｊ)が主通路(７)の上記軸方向に偏向されることを確実にすることである。上記の補助通路(９)には、周方向環状室(11)を介して入口連結片(10)から気体が供給され(呼吸用気体の供給を示す矢印Ｆを参照)、上記の呼吸用気流は上記の主通路(７)の軸(Ｌ−Ｌ)上の合流点(Ｃ)に向け合流する(図２および図３参照)。
【００１９】
更に、筒状要素(５)は気体の除去用および／または圧力測定用の連結片(12)を備える。
図４に示されている、人工呼吸用装置の変形例(Ｄ２)はノーズピースあるいはマウスピースを形成できる可撓性筒状要素(25)からなり、その筒状要素(25)の遠位端(25Ｄ)は患者の気管に導入されるようになされており、可撓性筒状要素(25)の近位端(25Ｐ)は上記の患者の外側に残存している。筒状要素(25)は内部主通路(27)を形成し、上記の通路(27)の軸(Ｌ−Ｌ)に向けられている偏向手段(28)を備える。この偏向手段(28)の目的は補助通路(29)を通って噴射される呼吸用気流(Ｊ)が上記の軸(Ｌ−Ｌ)の方向に偏向されることを確実にすることである。上記の補助通路(29)には、周方向室(31)を介して入口導管(30)(矢印Ｆ参照)から気体が供給され、呼吸用気流(Ｊ)は上記の軸(Ｌ−Ｌ)上の合流点(Ｃ)に向けて合流する。
【００２０】
特に、人工呼吸装置(Ｄ１)および(Ｄ２)は、心停止状態にあり、その胸郭に圧迫と圧迫解除とを交互に受けている患者の緊急蘇生に使用される際、これらの装置は数本の圧縮ガス容器等から呼吸用気体が連続的に供給され(矢印Ｆ)、気流(Ｊ)は蘇生工程中連続している。
【００２１】
上記の残存する正の圧力の短所を回避するため、装置(Ｄ１)と(Ｄ２)との各々にはその近位端(５Ｐ)、(25Ｐ)に各圧迫解除の開始時に筒状要素(５)、(25)への外部空気の取り入れを遅くする手段が設けられている。この外部空気を遅くする手段は異なる形態、特に、図５から図７に示す参照符号(Ｓ１)あるいは図８から図１３に示す参照符号(Ｓ２)および以下に記載の形態を採る。これらは筒状要素(５)との一体部分あるいは筒状要素に離脱自在に取り付けられる。
【００２２】
図５から図７に示されている、各圧迫解除の開始時に筒状要素(５)、(25)への外部空気の取り入れを遅くする手段(Ｓ１)は、筒状要素(５)、(25)と気体連通自在の空洞(41)を形成する中空体(40)からなる。この中空体(40)には２つの弁(42)、(43)が装着されていて、通常閉鎖されており、上記の空洞(41)と外側との間で平行に配置されている。弁(42)は、空洞(41)の内側の圧力が外側の大気圧を越すと自然に且つ即座に開くようになされている。その反対に、弁(43)は、外側大気圧が空洞(41)の内側の圧力を越すと自然に且つ徐々に開くようになされている。図５から図７に示されている、弁(42)と弁(43)とがその頭部(44)あるいは(45)がバネ(48)あるいは(49)の作用により弁座(46)あるいは(47)に対抗しているタイプのばあい、上記の弁の即座に開く性質あるいは徐々に開く性質は上記のバネ(48)、(49)の力を制御することにより達成される。
【００２３】
装置(Ｄ１)、(Ｄ２)を装着した患者の胸郭を圧迫している間、圧力は空洞(41)で高まり、弁(42)が即座に開弁して、上記の患者の肺により追い出された空気が、図６に示されているように自由に逃げる。図６では追い出された空気は矢印(50)で示されている。この圧迫中、弁(43)は閉じたままである。
【００２４】
反対に、上記の患者(３)の胸郭を圧迫解除している間は、空洞(41)の圧力は減少し、弁(43)は徐々に開き、外側から吹き込まれた空気がその速度を落としながら、図７の矢印(51)により示されているように上記の患者(３)の肺の方向に入る。この圧迫解除中、弁(42)は閉じたままである。
【００２５】
よって、患者(３)の肺に外部空気が徐々に速度を落としながら取り入れられることにより気流(Ｊ)による残存する正の圧力は圧迫解除の開始時に消失する。
【００２６】
図８から図１３に示されている、各圧迫解除の開始時に筒状要素(５)、(25)への外部空気の取り入れを遅くする手段(Ｓ２)は、筒状要素(５)、(25)と気体連通自在の空洞(61)を形成する中空筒体(60)からなる。この筒体(60)には弁(62)が装着されており、通常閉鎖していて、弁座(64)に載置されている弾性膜(63)により形成されている。この弾性膜(63)はその周囲に配分されている幾つかの装着点(そのうちの一つ３ヶ所のものが図示されている)を介して弁座(64)に固定されている。弁(62)は、空洞(61)の内側の圧力が外側の大気圧を越すと自然に且つ即座に開くようになされている。その弁(62)の開弁は、空洞(61)の圧力の影響で上記の膜が変形して装着点(65)同士間の弁座(64)から弾性膜(63)が離れることによるものである。よって、通路(66)が膜(63)と弁座(64)との間で形成される。
【００２７】
更に、隣接縁を備えたスリット(67)が弾性膜(63)に形成され、外側の大気圧が空洞(61)内の圧力を越すと、自然であるが徐々に開弁できる弁を形成できる。この場合、通路(68)が弾性膜(63)に、この変形により自然に形成され、よって、スリット(67)の隣接縁が徐々に離れる。
【００２８】
装置(Ｄ１)、(Ｄ２)を装着した患者(３)の胸郭を圧迫しているあいだ、空洞(61)内では圧力が上昇し、膜(63)が変形して通路(66)が形成し、こうして肺から追い出された空気が外側に自由に逃げる(図１０および１１の矢印(69)を参照)。
【００２９】
上記の患者(３)の胸郭を圧迫解除している間、空洞(61)の圧力は降下し、弾性膜(63)はその座(64)に当接し、通路(66)を閉鎖する。その反対に、スリット(67)の縁は膜(63)が変形して徐々に離れ、通路(68)を形成して、外側から吹き込まれた空気が、その速度を落としながら、図１２の矢印(70)によって示されているように患者の肺の方向に入っていく。
【図１】
0005205395.tif 000002
【図２】
0005205395.tif 000003
【図３】
0005205395.tif 000004
【図４】
0005205395.tif 000005
【図５】
0005205395.tif 000006
【図６】
0005205395.tif 000007
【図７】
0005205395.tif 000008
【図８】
0005205395.tif 000009
【図９】
0005205395.tif 000010
【図１０】
0005205395.tif 000011
【図１１】
0005205395.tif 000012
【図１２】
0005205395.tif 000013
【図１３】
0005205395.tif 000014